(57)【特許請求の範囲】
【請求項１】
互いに反対を向いた受光面と裏面とを側面で囲んで構成された太陽電池モジュールの１つの側面を含んで被覆する太陽電池モジュール用梱包体であって、
前記太陽電池モジュールの受光面の一部を覆う受光面側保護部と、
前記受光面側保護部に対向して設けられ、かつ前記太陽電池モジュールの裏面の一部を覆う裏面側保護部と、
前記裏面側保護部と前記受光面側保護部との間に設けられ、かつ前記太陽電池モジュールの１つの側面を覆う側面側保護部と、
前記裏面側保護部と切目線を介して一体的に形成され、かつ前記太陽電池モジュールの裏面に設置された端子ボックスから延びるケーブルの先端に設けられたコネクタを差し込み可能な穴部を有し、かつ第１保護部、第２保護部、第３保護部が順に並べられるコネクタ保護部とを備え、
前記コネクタ保護部は、前記切目線に沿って前記裏面側保護部から切り離されてから、前記第１保護部と前記第３保護部とが対向し、前記第１保護部と前記第３保護部の間に前記第２保護部が配置されるように折り曲げられる場合に、第１保護部から第３保護部によって囲まれた空間の中に、前記空間の外から穴部を介して進入させたケーブルのコネクタを収めることを特徴とする太陽電池モジュール用梱包体。
【請求項２】
前記切目線は、直線状に設けられることを特徴とする請求項１に記載の太陽電池モジュール用梱包体。
【請求項３】
前記切目線は、曲線状に設けられることを特徴とする請求項１に記載の太陽電池モジュール用梱包体。
【請求項４】
前記切目線は、屈曲した形状に設けられることを特徴とする請求項１に記載の太陽電池モジュール用梱包体。
【請求項５】
互いに反対を向いた受光面と裏面とを側面で囲んで構成された太陽電池モジュールと、
前記太陽電池モジュールの１つの側面を含んで被覆する太陽電池モジュール用梱包体とを備え、
前記太陽電池モジュール用梱包体は、
前記太陽電池モジュールの受光面の一部を覆う受光面側保護部と、
前記受光面側保護部に対向して設けられ、かつ前記太陽電池モジュールの裏面の一部を覆う裏面側保護部と、
前記裏面側保護部と前記受光面側保護部との間に設けられ、かつ前記太陽電池モジュールの１つの側面を覆う側面側保護部と、
前記裏面側保護部と切目線を介して一体的に形成され、かつ前記太陽電池モジュールの裏面に設置された端子ボックスから延びるケーブルの先端に設けられたコネクタを差し込み可能な穴部を有し、かつ第１保護部、第２保護部、第３保護部が順に並べられるコネクタ保護部とを備え、
前記コネクタ保護部は、前記切目線に沿って前記裏面側保護部から切り離されてから、前記第１保護部と前記第３保護部とが対向し、前記第１保護部と前記第３保護部の間に前記第２保護部が配置されるように折り曲げられる場合に、第１保護部から第３保護部によって囲まれた空間の中に、前記空間の外から穴部を介して進入させたケーブルのコネクタを収めることを特徴とする梱包体付き太陽電池モジュール。
【発明の詳細な説明】
【技術分野】
【０００１】
本発明は、梱包技術、特に太陽電池モジュールを梱包する太陽電池モジュール用梱包体および梱包体付き太陽電池モジュールに関する。
【背景技術】
【０００２】
太陽電池モジュールは、保管・運搬中の破損を防止するために、梱包される。例えば、梱包材には段ボールが使用され、太陽電池モジュールの側面と裏面とが覆われる。その際、太陽電池モジュールのケーブル・コネクタのばたつきによって、太陽電池モジュール裏面のバックフィルムが損傷することも防止しなくてはならない。そのために、切込み付きの穴が梱包材に設けられ、当該穴にコネクタが差し込まれる（例えば、特許文献１参照）。
【先行技術文献】
【特許文献】
【０００３】
【特許文献１】特開２０１４−９８５号公報
【発明の概要】
【発明が解決しようとする課題】
【０００４】
太陽電池モジュールを覆う梱包材に設けた穴にコネクタを差し込むことによって、保管・運搬中の破損が防止される。しかしながら、太陽電池モジュールを例えば屋根に設置する場合、設置前に梱包材を取り外してから、太陽電池モジュールは屋根まで運ばれる。屋根まで運ばれる間、コネクタは保護されていないので、コネクタが太陽電池モジュールを損傷させてしまうおそれがある。一方、コネクタを保護するためだけに保護材を使用した場合、部品点数が増加し、コストが増加する。
【０００５】
本発明はこうした状況に鑑みなされたものであり、その目的は、太陽電池モジュールのコネクタを簡易に保護する技術を提供することにある。
【課題を解決するための手段】
【０００６】
上記課題を解決するために、本発明のある態様の太陽電池モジュール用梱包体は、互いに反対を向いた受光面と裏面とを側面で囲んで構成された太陽電池モジュールの１つの側面を含んで被覆する太陽電池モジュール用梱包体であって、太陽電池モジュールの受光面の一部を覆う受光面側保護部と、受光面側保護部に対向して設けられ、かつ太陽電池モジュールの裏面の一部を覆う裏面側保護部と、裏面側保護部と受光面側保護部との間に設けられ、かつ太陽電池モジュールの１つの側面を覆う側面側保護部と、裏面側保護部と切目線を介して一体的に形成され、かつ太陽電池モジュールの裏面に設置された端子ボックスから延びるケーブルの先端に設けられたコネクタを差し込み可能な穴部を有し、かつ第１保護部、第２保護部、第３保護部が順に並べられるコネクタ保護部とを備える。コネクタ保護部は、切目線に沿って裏面側保護部から切り離されてから、第１保護部と第３保護部とが対向し、第１保護部と第３保護部の間に第２保護部が配置されるように折り曲げられる場合に、第１保護部から第３保護部によって囲まれた空間の中に、空間の外から穴部を介して進入させたケーブルのコネクタを収める。
【０００８】
本発明のさらに別の態様は、梱包体付き太陽電池モジュールである。この梱包体付き太陽電池モジュールは、互いに反対を向いた受光面と裏面とを側面で囲んで構成された太陽電池モジュールと、太陽電池モジュールの１つの側面を含んで被覆する太陽電池モジュール用梱包体とを備える。太陽電池モジュール用梱包体は、太陽電池モジュールの受光面の一部を覆う受光面側保護部と、受光面側保護部に対向して設けられ、かつ太陽電池モジュールの裏面の一部を覆う裏面側保護部と、裏面側保護部と受光面側保護部との間に設けられ、かつ太陽電池モジュールの１つの側面を覆う側面側保護部と、裏面側保護部と切目線を介して一体的に形成され、かつ太陽電池モジュールの裏面に設置された端子ボックスから延びるケーブルの先端に設けられたコネクタを差し込み可能な穴部を有し、かつ第１保護部、第２保護部、第３保護部が順に並べられるコネクタ保護部とを備える。コネクタ保護部は、切目線に沿って裏面側保護部から切り離されてから、第１保護部と第３保護部とが対向し、第１保護部と第３保護部の間に第２保護部が配置されるように折り曲げられる場合に、第１保護部から第３保護部によって囲まれた空間の中に、空間の外から穴部を介して進入させたケーブルのコネクタを収める。
【発明の効果】
【０００９】
本発明によれば、太陽電池モジュールのコネクタを簡易に保護できる。
【図面の簡単な説明】
【００１０】
【図１】本発明の実施例に係る梱包体付き太陽電池モジュールの構成を示す分解斜視図である。
【図２】図２（ａ）−（ｃ）は、図１の太陽電池モジュール用梱包体の構成を示す展開図である。
【図３】図３（ａ）−（ｃ）は、図１の梱包体付き太陽電池モジュールの構成を示す斜視図である。
【図４】図３（ａ）−（ｃ）の梱包体付き太陽電池モジュールのｙ軸に沿った断面図である。
【図５】図１のコネクタ保護部の構成を示す斜視図である。
【発明を実施するための形態】
【００１１】
本発明を具体的に説明する前に、概要を述べる。本発明の実施例は、太陽電池モジュールの破損を防止するために、太陽電池モジュールの一部を覆う太陽電池モジュール用梱包体に関する。太陽電池モジュールは、矩形状を有しており、互いに対向した２つの長側面と、互いに対向した２つの短側面とによって囲まれている。また、太陽電池モジュールの裏面には、端子ボックスが設置されており、端子ボックスに接続されたケーブルの先端にコネクタが設けられている。太陽電池モジュールにおける２つの長側面のそれぞれに対して、太陽電池モジュール用梱包体が取りつけられる。太陽電池モジュール用梱包体は、例えば、段ボールにより形成されており、その構成には、太陽電池モジュールの裏面の一部を覆う裏面側保護部が含まれる。裏面側保護部は、コネクタ保護部と一体的に形成されており、両者の間に切目線が設けられる。
【００１２】
コネクタ保護部には穴部が設けられており、穴部にコネクタが差し込まれることによって、コネクタが固定される。このような構成により、保管・運搬中の破損が防止される。このように太陽電池モジュール用梱包体が取りつけられた太陽電池モジュール（以下、「梱包体付き太陽電池モジュール」という）は、太陽電池モジュールを設置すべき屋根の近くまで運搬される。太陽電池モジュールの設置前に、太陽電池モジュール用梱包体が太陽電池モジュールから取り外される。その際、切目線に沿って、コネクタ保護部が裏面側保護部から切り離される。そのため、太陽電池モジュール用梱包体が太陽電池モジュールから取り外された状態であっても、コネクタはコネクタ保護部に保護され続けている。屋根に太陽電池モジュールを設置した後、コネクタ保護部は、コネクタから取り外される。なお、以下の説明において、「平行」は、完全な平行だけではなく、誤差の範囲で平行からずれている場合も含むものとする。また、「略」は、おおよその範囲で同一であるという意味である。
【００１３】
図１は、本発明の実施例に係る梱包体付き太陽電池モジュール３００の構成を示す分解斜視図である。梱包体付き太陽電池モジュール３００は、太陽電池モジュール用梱包体１００と総称される第１太陽電池モジュール用梱包体１００ａ、第２太陽電池モジュール用梱包体１００ｂ、太陽電池モジュール２００を含む。太陽電池モジュール用梱包体１００は、受光面側保護部１０、裏面側保護部１２、側面側保護部１４、壁面側保護部１６と総称される第１壁面側保護部１６ａ、第２壁面側保護部１６ｂ、折返し面１８と総称される第１折返し面１８ａ、第２折返し面１８ｂ、差込片２０と総称される第１差込片２０ａ、第２差込片２０ｂ、差込穴２２と総称される第１差込穴２２ａ、第２差込穴２２ｂ、コネクタ保護部２４、切目線２６を含む。また、太陽電池モジュール２００は、太陽電池パネル２１０、長フレーム２１２、短フレーム２１４、端子ボックス２１６、ケーブル２１８と総称される第１ケーブル２１８ａ、第２ケーブル２１８ｂ、コネクタ２２０と総称される第１コネクタ２２０ａ、第２コネクタ２２０ｂを含む。
【００１４】
図１に示すように、ｘ軸、ｙ軸、ｚ軸からなる直交座標系が規定される。ｘ軸、ｙ軸は、太陽電池モジュール２００の平面内において互いに直交する。ｚ軸は、ｘ軸およびｙ軸に垂直であり、太陽電池モジュール２００の厚み方向に延びる。また、ｘ軸、ｙ軸、ｚ軸のそれぞれの正の方向は、図１における矢印の方向に規定され、負の方向は、矢印と逆向きの方向に規定される。太陽電池モジュール２００を形成する２つの主表面であって、かつｘ−ｙ平面に平行な２つの主表面のうち、ｚ軸の正方向側に配置される主平面が受光面２７０であり、ｚ軸の負方向側に配置される主平面が裏面２７２である。以下では、ｚ軸の正方向側を「受光面側」とよび、ｚ軸の負方向側を「裏面側」とよぶ。さらに、受光面２７０、裏面２７２を囲むように、ｘ軸に沿った長側面２７４、ｙ軸に沿った短側面２７６が配置されている。
【００１５】
太陽電池パネル２１０は、ｚ軸方向に互いに反対を向いた受光面２７０と裏面２７２を含みながら、ｙ軸方向よりもｘ軸方向に長い矩形状を有する。太陽電池パネル２１０の受光面２７０側には透光性基板が配置され、裏面２７２側には裏面保護部材であるバックシートが配置される。また、透光性基板とバックシートとの間には、封止部材が配置されており、封止部材によって複数の太陽電池セルが封止されている。例えば、透光性基板には、ガラス基板、透光性プラスチック等が使用され、バックシートには、ＰＥＴ（ポリエチレンテレフタラート）等の樹脂フィルム、Ａｌ箔を樹脂フィルムで挟んだ構造を有する積層フィルムが使用される。また、封止部材には、ポリオレフィン、ＥＶＡ（エチレンビニルアセテート）、ＰＶＢ（ポリビニルブチラール）、ポリイミド等の樹脂フィルムのような熱可塑性樹脂が使用される。太陽電池パネル２１０のｙ軸方向の両端には、ｘ軸方向に延びる長フレーム２１２が配置され、太陽電池パネル２１０のｘ軸方向の両端には、ｙ軸方向に延びる短フレーム２１４が配置される。
【００１６】
隣接した長フレーム２１２と短フレーム２１４は互いに連結されることによって、２つの長フレーム２１２と２つの短フレーム２１４は、太陽電池パネル２１０を囲むような枠形状に配置される。長フレーム２１２と短フレーム２１４は、押出成形によって形成されるので、延びる方向を横切る方向において同一形状の断面を有する。また、長フレーム２１２と短フレーム２１４は、太陽電池パネル２１０を保護するために、例えば、アルミニウム、あるいはアルミニウム合金で構成される。
【００１７】
なお、太陽電池パネル２１０に長フレーム２１２、短フレーム２１４、後述の端子ボックス２１６、ケーブル２１８、コネクタ２２０を取りつけたものが、太陽電池モジュール２００である。前述のごとく、太陽電池モジュール２００は、長側面２７４、短側面２７６で囲まれている。そのため、長側面２７４は長フレーム２１２に一致し、短側面２７６は短フレーム２１４に一致する。
【００１８】
太陽電池パネル２１０の裏面２７２には、端子ボックス２１６が取りつけられる。また、２本のケーブル２１８のそれぞれの一端側は、端子ボックス２１６に接続され、２本のケーブル２１８のそれぞれの他端側には、コネクタ２２０が接続される。端子ボックス２１６、ケーブル２１８、コネクタ２２０は、太陽電池パネル２１０に電気的に接続され、太陽電池パネル２１０から電力を取り出す。ここで、コネクタ２２０の外周は、例えば、熱可塑性プラスチック等によって覆われている。
【００１９】
第１太陽電池モジュール用梱包体１００ａは、ｙ軸の正方向側から太陽電池モジュール２００の長フレーム２１２、つまり長側面２７４の近傍を被覆する。近傍とは、長フレーム２１２だけでなく、太陽電池パネル２１０の一部も含まれるという意味である。第１太陽電池モジュール用梱包体１００ａは、例えば、段ボールを材料として形成される。また、第２太陽電池モジュール用梱包体１００ｂは、ｙ軸の負方向側から太陽電池モジュール２００の長フレーム２１２、つまり長側面２７４の近傍を被覆する。このように太陽電池モジュール２００は、ｙ軸の両方向側から太陽電池モジュール用梱包体１００によって被覆される。ここで、第１太陽電池モジュール用梱包体１００ａと第２太陽電池モジュール用梱包体１００ｂは、向きが異なるだけで、同一の構成を有する。以下では、第２太陽電池モジュール用梱包体１００ｂをもとに太陽電池モジュール用梱包体１００の構成を説明する。
【００２０】
受光面側保護部１０は、ｘ−ｙ平面上に配置されるとともに、ｙ軸方向よりもｘ軸方向に長い矩形状を有する。受光面側保護部１０のｘ軸方向の長さは、長フレーム２１２を被覆することが可能な長さである。一方、受光面側保護部１０のｙ軸方向の長さは、長フレーム２１２のｙ軸方向の長さよりも長い。受光面側保護部１０は、太陽電池モジュール２００の受光面２７０の一部を覆う。一部とは、前述の近傍と同義である。
【００２１】
裏面側保護部１２は、ｘ−ｙ平面上に配置されるとともに、受光面側保護部１０よりもｚ軸の負方向側において、受光面側保護部１０に対向して設けられる。裏面側保護部１２のｘ軸方向の長さは、受光面側保護部１０のｘ軸方向の長さと同一である。裏面側保護部１２は、太陽電池モジュール２００の裏面２７２の一部を覆う。
【００２２】
側面側保護部１４は、ｚ−ｘ平面上に配置されるとともに、裏面側保護部１２と受光面側保護部１０との間に設けられる。また、側面側保護部１４は、ｚ軸方向よりもｘ軸方向に長い矩形状を有し、側面側保護部１４のｘ軸方向の長さは、受光面側保護部１０のｘ軸方向の長さと同一である。側面側保護部１４のｚ軸方向の長さは、長フレーム２１２を被覆することが可能な長さである。側面側保護部１４は、太陽電池モジュール２００の長側面２７４、つまり長フレーム２１２を覆う。
【００２３】
ここで、受光面側保護部１０のｘ軸の正方向側端からｚ軸の負方向に向かって第２壁面側保護部１６ｂが配置され、第２壁面側保護部１６ｂのｚ軸の負方向側端からｘ軸の負方向に向かって第２折返し面１８ｂが配置される。さらに、第２折返し面１８ｂのｘ軸の負方向側端からｘ軸の負方向に向かって第２差込片２０ｂが配置される。ここで、受光面側保護部１０、第２壁面側保護部１６ｂ、第２折返し面１８ｂ、第２差込片２０ｂは、一体的に形成されている。さらに、第２差込片２０ｂは、裏面側保護部１２に設けられた第２差込穴２２ｂに差し込まれることによって、裏面側保護部１２に固定される。このような構成は、第１壁面側保護部１６ａ、第１折返し面１８ａ、第１差込片２０ａ、第１差込穴２２ａについても同様である。
【００２４】
コネクタ保護部２４は、裏面側保護部１２のｙ軸の正方向側において、裏面側保護部１２と切目線２６を介して一体的に形成される。図１の状態では、コネクタ保護部２４は、裏面側保護部１２の一部分のように構成されているが、切目線２６に沿って、コネクタ保護部２４を裏面側保護部１２から切り離すことが可能である。コネクタ保護部２４のｘ軸方向の長さは、裏面側保護部１２のｘ軸方向の長さよりも短い。コネクタ保護部２４には、穴部２８が備えられ、穴部２８には、太陽電池モジュール２００の裏面２７２に設置された端子ボックス２１６から延びるケーブル２１８の先端に設けられたコネクタ２２０を差し込み可能である。
【００２５】
図２（ａ）−（ｃ）は、太陽電池モジュール用梱包体１００の構成を示す展開図である。これは、図１に示した太陽電池モジュール用梱包体１００を組み立てる前の構成であり、太陽電池モジュール用梱包体１００は展開状態においてシート状に形成される。ここでは、図１の第２太陽電池モジュール用梱包体１００ｂの裏面側保護部１２に合わせるように、直交座標系を示す。図示のごとく、受光面側保護部１０、側面側保護部１４、裏面側保護部１２がｙ軸方向に並べられているが、それらは折目５０、折目５２を介して連接されている。
【００２６】
また、第１差込片２０ａ、第１折返し面１８ａ、第１壁面側保護部１６ａ、受光面側保護部１０、第２壁面側保護部１６ｂ、第２折返し面１８ｂ、第２差込片２０ｂがｘ軸方向に並べられている。それらは、折目５４、折目５６、折目５８、折目６０を介して連接されている。折目５０から折目６０に沿って、太陽電池モジュール用梱包体１００が折り曲げられ、かつ第１差込片２０ａが第１差込穴２２ａに、第２差込片２０ｂが第２差込穴２２ｂに差し込まれることによって、図１に示した太陽電池モジュール用梱包体１００が構成される。
【００２７】
前述のごとく、コネクタ保護部２４は、切目線２６を介して裏面側保護部１２と一体的に形成される。切目線２６は、図示のごとく、１カ所で屈曲した形状、つまり向きの異なった２つの直線が１点で結ばれる形状に設けられる。ここで、コネクタ保護部２４では、ｘ軸の負方向から正方向に向かって、第１保護部３２、第２保護部３４、第３保護部３６がｘ−ｙ平面上に並べられ、それらは折目６２、折目６４を介して連接される。さらに、コネクタ保護部２４には、穴部２８に接続するように切込み部３０が設けられる。
【００２８】
図２（ｂ）では、図２（ａ）と比較して、切目線２６の形状が異なる。切目線２６は、円弧の一部のように、曲線状に設けられる。また、図２（ｃ）では、図２（ａ）−（ｂ）と比較して、切目線２６の形状が異なる。切目線２６は、直線状に設けられる。このように切目線２６は、図２（ａ）−（ｃ）のような様々な形状で設けることが可能である。
【００２９】
図３（ａ）−（ｃ）は、梱包体付き太陽電池モジュール３００の構成を示す斜視図である。図３（ａ）における梱包体付き太陽電池モジュール３００では、図１における第１太陽電池モジュール用梱包体１００ａ、第２太陽電池モジュール用梱包体１００ｂが太陽電池モジュール２００に取りつけられる。図３（ｂ）は、図３（ａ）に示した梱包体付き太陽電池モジュール３００において、第１コネクタ２２０ａと第２コネクタ２２０ｂとが、第２太陽電池モジュール用梱包体１００ｂの穴部２８に差し込まれた状態を示す。図３（ｃ）は、図３（ａ）に示した梱包体付き太陽電池モジュール３００において、第１コネクタ２２０ａと第２コネクタ２２０ｂとが、第１太陽電池モジュール用梱包体１００ａの穴部２８に差し込まれた状態を示す。梱包体付き太陽電池モジュール３００は、図３（ｂ）−（ｃ）のいずれかの状態で、保管されたり、太陽電池モジュール２００を設置すべき屋根の近くまで運搬されたりする。
【００３０】
図４は、梱包体付き太陽電池モジュール３００のｙ軸、具体的にはＡ−Ａ’線に沿った断面図であり、特に、第２太陽電池モジュール用梱包体１００ｂの周辺部分を示す部分断面図である。長フレーム２１２は、嵌合部２４０、支持部２４２、脚部２４４、底部２４６を含み、支持部２４２は、天面部２４８、中空部２５０を含む。ここで、嵌合部２４０、支持部２４２、脚部２４４、底部２４６は、一体的に形成される。
【００３１】
嵌合部２４０は、後述の支持部２４２のｚ軸の正方向側に配置され、支持部２４２の天面部２４８と組み合わされることによって、ｙ軸の正方向側に凹んだ断面を有する。このような形状によって、嵌合部２４０には、ｙ軸の正方向側から太陽電池パネル２１０の外縁部２２２が嵌め込まれる。なお、嵌合部２４０および天面部２４８と、太陽電池パネル２１０とは、ブチル系の封止材またはシリコン系の接着剤などによって固定される。
【００３２】
支持部２４２は、嵌合部２４０をｚ軸の負方向側から支持する。支持部２４２のｚ軸の正方向側には、嵌合部２４０と対向するように天面部２４８が配置される。また、支持部２４２は、略矩形状の断面を有するとともに、中空構造のために内部に中空部２５０を備える。支持部２４２のｚ軸の負方向側、かつｙ軸の正方向側から、ｚ軸の負方向に向かって脚部２４４が備えられる。なお、脚部２４４は、支持部２４２のｚ軸の負方向側のどの部分に接続されてもよい。脚部２４４のｚ軸の負方向側には、底部２４６が配置される。底部２４６は、ｙ軸方向に延びた断面を有し、底部２４６をｚ軸の負方向側から支持する。
【００３３】
このような長フレーム２１２において、嵌合部２４０および支持部２４２のｙ軸の負方向側の面と、底部２４６のｙ軸の負方向側端が、前述の長側面２７４に相当する。受光面側保護部１０、側面側保護部１４、裏面側保護部１２の組合せによって、ｙ軸の正方向側に凹んだ断面が形成されており、これらによって、長側面２７４側から、長フレーム２１２と、太陽電池パネル２１０の一部とが覆われる。図示のごとく、側面側保護部１４のｚ軸方向の長さは、長フレーム２１２のｚ軸方向の長さに合わされており、受光面側保護部１０および裏面側保護部１２のｙ軸方向の長さは、長フレーム２１２のｙ軸方向の長さよりも長くされる。
【００３４】
図５は、コネクタ保護部２４の構成を示す斜視図である。これは、太陽電池モジュール２００を設置すべき屋根の近くまで、図３（ｂ）−（ｃ）のいずれかの状態で梱包体付き太陽電池モジュール３００を運搬した後、太陽電池モジュール２００を屋根に設置する状況での構成を示す。そのような状況において、コネクタ保護部２４は、切目線２６に沿って裏面側保護部１２から切り離される。また、コネクタ保護部２４を残して、太陽電池モジュール用梱包体１００は太陽電池モジュール２００から取り外される。そのときのコネクタ保護部２４の構成が図５のように示される。
【００３５】
コネクタ保護部２４は、折目６２、折目６４において折り曲げられることによって、第１保護部３２と第３保護部３６とが対向し、それらの間に第２保護部３４が配置される。また、第１保護部３２から第３保護部３６によって囲まれた空間の中に、当該空間の外から穴部２８、切込み部３０を介して、ケーブル２１８が進入している。そのため、第１保護部３２から第３保護部３６によって囲まれた空間の中に、コネクタ２２０が収められている。その結果、太陽電池モジュール用梱包体１００が太陽電池モジュール２００から取り外された後であっても、コネクタ２２０は、コネクタ保護部２４によって保護される。
【００３６】
本発明の実施例によれば、コネクタ保護部２４が裏面側保護部１２と切目線２６を介して一体的に形成されるので、太陽電池モジュール用梱包体１００を取りつけるだけで、保管・運搬中における太陽電池モジュール２００の破損を簡易に抑制できる。また、コネクタ保護部２４に設けられた穴部２８にコネクタ２２０を差し込むので、コネクタ２２０の破損を抑制できる。また、切目線２６が設けられるので、コネクタ保護部２４を裏面側保護部１２から簡易に切り離すことができる。また、コネクタ保護部２４が裏面側保護部１２から簡易に切り離されるので、太陽電池モジュール２００を屋根に設置する際の処理を簡易にできる。また、太陽電池モジュール２００を屋根に設置する際に、コネクタ２２０をコネクタ保護部２４で保護するので、太陽電池モジュール２００の破損を抑制できる。
【００３７】
また、切目線２６が屈曲した形状に設けられるので、コネクタ保護部２４のサイズを大きくできる。また、コネクタ保護部２４のサイズが大きくなるので、コネクタ２２０をより保護できる。また、切目線２６が曲線状に設けられるので、コネクタ保護部２４の安全性を向上できる。また、コネクタ保護部２４の安全性が向上するので、作業効率を向上できる。また、切目線２６が直線状に設けられるので、裏面側保護部１２からの切り離しを容易にできる。また、裏面側保護部１２からのコネクタ保護部２４の切り離しが容易になるので、作業効率を向上できる。
【００３８】
本実施例の概要は、次の通りである。本発明のある態様の太陽電池モジュール用梱包体１００は、互いに反対を向いた受光面２７０と裏面２７２とを長側面２７４で囲んで構成された太陽電池モジュール２００の１つの長側面２７４を含んで被覆する太陽電池モジュール用梱包体１００であって、太陽電池モジュール２００の受光面２７０の一部を覆う受光面側保護部１０と、受光面側保護部１０に対向して設けられ、かつ太陽電池モジュール２００の裏面２７２の一部を覆う裏面側保護部１２と、裏面側保護部１２と受光面側保護部１０との間に設けられ、かつ太陽電池モジュール２００の１つの長側面２７４を覆う側面側保護部１４と、裏面側保護部１２と切目線２６を介して一体的に形成され、かつ太陽電池モジュール２００の裏面２７２に設置された端子ボックス２１６から延びるケーブル２１８の先端に設けられたコネクタ２２０を差し込み可能な穴部２８を有するコネクタ保護部２４と、を備える。
【００３９】
切目線２６は、直線状に設けられてもよい。
【００４０】
切目線２６は、曲線状に設けられてもよい。
【００４１】
切目線２６は、屈曲した形状に設けられてもよい。
【００４２】
本発明の別の態様もまた、太陽電池モジュール用梱包体１００である。この太陽電池モジュール用梱包体１００は、互いに反対を向いた受光面２７０と裏面２７２とを長側面２７４で囲んで構成された太陽電池モジュール２００の１つの長側面２７４を含んで被覆する太陽電池モジュール用梱包体１００であって、太陽電池モジュール２００の受光面２７０の一部を覆う受光面側保護部１０と、受光面側保護部１０に対向して設けられ、かつ太陽電池モジュール２００の裏面２７２の一部を覆う裏面側保護部１２と、裏面側保護部１２と受光面側保護部１０との間に設けられ、かつ太陽電池モジュール２００の１つの長側面２７４を覆う側面側保護部１４と、裏面側保護部１２と切目線２６を介して一体的に形成され、かつ太陽電池モジュール２００の裏面２７２に設置された端子ボックス２１６から延びるケーブル２１８の先端に設けられたコネクタ２２０が取りつけられるコネクタ保護部２４と、を備える。
【００４３】
本発明のさらに別の態様は、梱包体付き太陽電池モジュールである。この梱包体付き太陽電池モジュール３００は、互いに反対を向いた受光面２７０と裏面２７２とを長側面２７４で囲んで構成された太陽電池モジュール２００と、太陽電池モジュール２００の１つの長側面２７４を含んで被覆する太陽電池モジュール用梱包体１００とを備える。太陽電池モジュール用梱包体１００は、太陽電池モジュール２００の受光面２７０の一部を覆う受光面側保護部１０と、受光面側保護部１０に対向して設けられ、かつ太陽電池モジュール２００の裏面２７２の一部を覆う裏面側保護部１２と、裏面側保護部１２と受光面側保護部１０との間に設けられ、かつ太陽電池モジュール２００の１つの長側面２７４を覆う側面側保護部１４と、裏面側保護部１２と切目線２６を介して一体的に形成され、かつ太陽電池モジュール２００の裏面２７２に設置された端子ボックス２１６から延びるケーブル２１８の先端に設けられたコネクタ２２０を差し込み可能な穴部２８を有するコネクタ保護部２４と、を備える。
【００４４】
以上、本発明について実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４５】
本実施例において、コネクタ保護部２４には、コネクタ２２０を差し込み可能な穴部２８、切込み部３０が設けられる。しかしながらこれに限らず例えば、コネクタ保護部２４には、穴部２８、切込み部３０が設けられず、コネクタ２２０がテープ等の接着部材によってコネクタ保護部２４に取りつけられてもよい。本変形例によれば、穴部２８、切込み部３０の作成を不要にできる。
【符号の説明】
【００４６】
１０  受光面側保護部、  １２  裏面側保護部、  １４  側面側保護部、  １６  壁面側保護部、  １８  折返し面、  ２０  差込片、  ２２  差込穴、  ２４  コネクタ保護部、  ２６  切目線、  ２８  穴部、  ３０  切込み部、  ３２  第１保護部、  ３４  第２保護部、  ３６  第３保護部、  １００  太陽電池モジュール用梱包体、  ２００  太陽電池モジュール、  ２７０  受光面、  ２７２  裏面、  ２７４  長側面（側面）、  ２７６  短側面、  ３００  梱包体付き太陽電池モジュール。
【図１】
0006607395.tif 000002
【図２】
0006607395.tif 000003
【図３】
0006607395.tif 000004
【図４】
0006607395.tif 000005
【図５】
0006607395.tif 000006